(57)【要約】【課題】  本発明は、市販品の低コストのマグネットを用いて、シャッタ動作および絞り操作を行うことができる小型で低コストの絞り兼用シャッタ駆動装置を提供すること。【解決手段】  本発明の絞り兼用シャッタ駆動装置は、外形が円形状のベース部材１８を有し、このベース部材１８上には、光調整部材２７を操作して開口部１８ａの開閉が可能な駆動リング２０が載置され、駆動リング２０は、上面で光調整部材２７の一部を支持すると共に、下面に駆動磁石２１ａを固着し、この駆動磁石２１ａと対向する部分のベース部材１８にコイル１７を支持して、コイル１７に通電することにより発生する磁束が、駆動磁石２１ａに作用することにより、駆動リング２０が所定角度回転して、光調整部材２７によるシャッタ動作および開口量の調整が可能になっている。【選択図】        図１
2005156757.tif 000002
【特許請求の範囲】
【請求項１】
所定厚さのベース部材と、このベース部材に貫通形成された所定の口径からなる開口部と、アクチュエータの駆動力により前記開口部の遮蔽あるいは開口量の調整（絞り）を行う光調整部材とを備え、前記ベース部材上には、前記光調整部材を操作して前記開口部の開閉が可能な駆動リングが載置され、前記駆動リングは、上面に前記光調整部材の一部を支持すると共に下面に駆動磁石を固着し、前記駆動磁石と対向する部分の前記ベース部材にコイルを支持して、前記コイルに通電することにより発生する磁束が、前記駆動磁石に作用することにより、前記駆動リングが所定角度回転して、前記光調整部材によるシャッタ動作および前記開口量の調整が可能になっていることを特徴とする絞り兼用シャッタ駆動装置。
【請求項２】
前記駆動磁石は、板状に形成されて板厚方向の一方の面と他方の面とに異なる磁極がそれぞれ形成され、前記板状の長手方向の両端部と対向する部分に、前記コイルをそれぞれ配設したことを特徴とする請求項１記載の絞り兼用シャッタ駆動装置。
【請求項３】
前記コイルは、中空状の空芯部を有する空芯コイルからなり、前記空芯部に磁性材料からなるヨークを挿通し、前記コイルに対して非通電状態における前記駆動磁石は、自身の磁力で前記ヨークに対して吸引力が働くようにしたことを特徴とする請求項１または２記載の絞り兼用シャッタ駆動装置。
【請求項４】
前記コイルは、前記空芯部に挿通した前記ヨークを介して支持部材に支持され、この支持部材を前記ベース部材に取り付けたことを特徴とする請求項３記載の絞り兼用シャッタ機構。
【請求項５】
前記支持部材は、前記ベース部材にスナップ係支されていることを特徴とする請求項４記載の絞り兼用シャッタ機構。
【発明の詳細な説明】
【技術分野】
【０００１】
本発明は、絞り兼用シャッタ駆動装置に係わり、特にデジタルムービーカメラあるいはデジタルスチルカメラ等に用いられる絞り兼用シャッタ駆動装置に関する。
【背景技術】
【０００２】
従来の絞り兼用シャッタ駆動装置を、図６、図７に基づいて説明すると、円環状のマグネット１には、外周表面の円周方向にＳ極・Ｎ極が交互に１６等分されて着磁された着磁部１ａを有する。また、マグネット１には、突起部１ｂとダボ１ｃ、１ｄが形成されると共に、中央部に嵌合部１ｅが一体的に形成されている。
また、マグネット１の下部には、後述するマグネット押え６を介して円筒状のコイル２が、絶縁材料からなるボビン３に巻き付けられている。
【０００３】
また、コイル２の下部には、軟磁性材料からなるヨーク４が配設され、このヨーク４は、外周部に櫛歯状の８個の外側磁極４ａが形成され、この外側磁極４ａと対向する内側に中空状の内側磁極４ｂが形成されている。
前記ヨーク４の外側磁極４ａ及び内側磁極４ｂの間にコイル２及びボビン３が接着等により固定され、コイル２に通電されることによりヨーク４が励磁されるようになっている。
【０００４】
また、マグネット１の上部には、中央に開口部５ｂが形成された地板５が配設され、この地板５の嵌合部５ｅにマグネット１の嵌合部１ｅが嵌合して回転可能に取り付けられている。
そして、マグネット押え６をマグネット１の嵌合部１ｅを間に挟んで地板５に接着等により固定することでマグネット１の軸方向の抜け止めがなされている。
また、地板５の別の嵌合部５ａにはヨーク４の外側磁極４ａが嵌合して接着等により固定される。
この時、マグネット１とヨーク４とは同軸になるように固定され、マグネット１の着磁部１ａの先端とヨーク４に固定されるボビン３との軸方向には所定の隙間が保たれる。
【０００５】
また、ヨーク４の内側磁極４ｂの軸方向長さは、マグネット１の内側に嵌合部１ｅ及びマグネット押え６が設けられる関係で、着磁部１ａの内周面よりも短く設定される。これにより、マグネット１は内側磁極４ｂにより軸方向（図２中の下方向）に引っ張られる吸引力が発生する。
一方、外側磁極４ａの櫛歯の軸方向長さはマグネット１の着磁部１ａである外周面を超える長さに設定してある。
【０００６】
さらに、地板５にはマグネット１のダボ１ｃ及び１ｄと同一方向に突出するダボ５ｃ及び５ｄが一体で形成されるとともに、マグネット１の突起部１ｂが当接することでマグネット１の回転を規制するストッパー部５ｆ及び５ｇが形成されている。すなわちマグネット１は突起部１ｂがストッパー部５ｆに当接する位置から突起部１ｂがストッパー部５ｇに当接する位置まで回転可能となる。
【０００７】
また、地板５の上部には羽根７、８が配設されており、羽根７の丸穴７ａが地板５のダボ５ｃに回転可能に嵌合し、羽根７の長穴７ｂがマグネット１のダボ１ｃに摺動可能に嵌合し、羽根８の丸穴８ａが地板５のダボ５ｄに回転可能に嵌合し、羽根８の長穴８ｂがマグネット１のダボ１ｄに摺動可能に嵌合する。
また、最上部に羽根押え９が配設され、この羽根押え９の中央に開口部９ａが形成されている。そして、羽根押え９は、羽根７、８と所定の隙間を持って挟んで地板５に固定され、羽根７、８の軸方向の受けとなっている。
【０００８】
前記マグネット１の回転により、羽根７は長穴７ｂがマグネット１のダボ１ｃに押されて丸穴７ａを中心に回転し、羽根８は長穴８ｂがマグネット１のダボ１ｄに押されて丸穴８ａを中心に回転して、地板５の開口部５ａの開口量が調整されて通過光量が制御可能になっている。
このような構成の従来の絞り兼用シャッタ駆動装置は、コイル２に通電すると、ヨーク４励磁されて、マグネット１は、所定の方向、例えば反時計回り方向に回転し始める。そして、マグネット１の突起部１ｂが地板５のストッパー部５ｆに当接してマグネット１の回転が停止する。
【０００９】
この状態からコイル２に逆方向の通電を行うと、マグネット１は時計方向に回転し始める。そして、マグネット１の突起部１ｂが地板５のストッパー部５ｇに当接してマグネット１の回転が停止する。
このようなマグネット１の回転に連動して、羽根７、８が回転する。即ち、マグネット１の突起部１ｂが地板５のストッパー部５ｆに当接した状態では、羽根７、８は、それぞれ地板５の開口部５ａから退避する位置にある。一方、マグネット１の突起部１ｂが地板５のストッパー部５ｇに当接した状態では、羽根７、８によって、地板５の開口部５ａが閉鎖される。
よって、コイル２への通電状態及び通電方向を切り換えることにより、羽根７及び羽根８の位置を開放位置と中間絞り位置と閉鎖位置とに制御可能となり、地板５の開口部５ａの開口量の調整を行うことができる。
【特許文献１】特開２００２−３４５２２５号公報
【特許文献２】特開２００３−１１１３７６号公報
【発明の開示】
【発明が解決しようとする課題】
【００１０】
しかし、前述したような従来の絞り兼用シャッタ駆動装置のマグネット１およびヨーク４は、外形が円環状に形成されていたので、外形が大きくなる問題があった。
そのために、従来の絞り兼用シャッタ駆動装置を用いたカメラ装置等の小型化が難しかった。
また、マグネット１は、磁性粉と熱可塑性樹脂バインダー材との混合物を射出成形して形成して、外周表面の円周方向にＳ極・Ｎ極が交互に１６等分して着磁していたので、コストアップになる問題があった。
本発明は、前述したような課題に鑑みてなされたものであり、市販品の低コストのマグネットを用いて、シャッタ動作および絞り操作を行うことができる小型で低コストの絞り兼用シャッタ駆動装置を提供することを目的とする。
【課題を解決するための手段】
【００１１】
前記課題を解決するための第１の解決手段として本発明の絞り兼用シャッタ駆動装置は、所定厚さのベース部材と、このベース部材に貫通形成された所定の口径からなる開口部と、アクチュエータの駆動力により前記開口部の遮蔽あるいは開口量の調整（絞り）を行う光調整部材とを備え、前記ベース部材上には、前記光調整部材を操作して前記開口部の開閉が可能な駆動リングが載置され、前記駆動リングは、上面に前記光調整部材の一部を支持すると共に下面に駆動磁石を固着し、前記駆動磁石と対向する部分の前記ベース部材にコイルを支持して、前記コイルに通電することにより発生する磁束が、前記駆動磁石に作用することにより、前記駆動リングが所定角度回転して、前記光調整部材によるシャッタ動作および前記開口量の調整が可能になっていることを特徴とする。
【００１２】
また、前記課題を解決するための第２の解決手段として、前記駆動磁石は、板状に形成されて板厚方向の一方の面と他方の面とに異なる磁極がそれぞれ形成され、前記板状の長手方向の両端部と対向する部分に、前記コイルをそれぞれ配設したことを特徴とする。
【００１３】
また、前記課題を解決するための第３の解決手段として、前記コイルは、中空状の空芯部を有する空芯コイルからなり、前記空芯部に磁性材料からなるヨークを挿通し、前記コイルに対して非通電状態における前記駆動磁石は、自身の磁力で前記ヨークに対して吸引力が働くようにしたことを特徴とする。
【００１４】
また、前記課題を解決するための第４の解決手段として、前記コイルは、前記空芯部に挿通した前記ヨークを介して支持部材に支持され、この支持部材を前記ベース部材に取り付けたことを特徴とする。
【００１５】
また、前記課題を解決するための第５の解決手段として、前記支持部材は、前記ベース部材にスナップ係支されていることを特徴とする。
【発明の効果】
【００１６】
本発明に係わる駆動リングは、上面に光調整部材の一部を支持すると共に下面に駆動磁石を固着し、駆動磁石と対向する部分のベース部材にコイルを支持して、コイルに通電することにより発生する磁束が、駆動磁石に作用することにより、駆動リングが所定角度回転して、光調整部材によるシャッタ動作および開口量の調整が可能になっているので、駆動磁石は、低コストの市販品を用いることができ、コストダウンが可能な絞り兼用シャッタ駆動装置を提供できる。
駆動リングの下面に駆動磁石を固着することにより、小型の絞り兼用シャッタ駆動装置を提供できる。
【００１７】
また、駆動磁石は、板状に形成されて板厚方向の一方の面と他方の面とに異なる磁極がそれぞれ形成され、前記板状の長手方向の両端部と対向する部分に、前記コイルをそれぞれ配設したので、駆動磁石とコイルとが非接触で駆動リングを回転させることができ、アクチュエータの構造が簡単である。
【００１８】
また、コイルは、中空状の空芯部を有する空芯コイルからなり、空芯部に磁性材料からなるヨークを挿通し、コイルが非通電状態における駆動磁石は、自身の磁力でヨークに対して吸引力が働くようにしたので、コイルへの通電が停止したときは、自身の磁力で駆動磁石がヨークに吸引されて、駆動リングの動きを確実に規制することができる。
即ち、コイル１７に通電しない時も、駆動リング２０の動きを規制することができるので、本発明の絞り兼用シャッタ装置の消費電力を小さくすることができる。
【００１９】
また、コイルは、空芯部に挿通したヨークを介して支持部材に支持され、この支持部材をベース部材に取り付けたので、コイルのベース部材への取付が容易である。
また、支持部材は、ベース部材にスナップ係支されているので、更に組立が容易である。
【発明を実施するための最良の形態】
【００２０】
以下、本発明に関する絞り兼用シャッタ駆動装置の実施の形態を図１〜図９に基づいて説明する。図１は本発明に関する絞り兼用シャッタ駆動装置の分解斜視図であり、図２は本発明に係わるアクチュエータの分解斜視図であり、図３は本発明に係わるアクチュエータの斜視図であり、図４は本発明に係わるアクチュエータと駆動リングとの関係を説明する斜視図であり、図５は本発明に関する絞り兼用シャッタ駆動装置の動作を説明する要部拡大図ある。
【００２１】
まず、本発明の実施の形態の絞り兼用シャッタ駆動装置電気は、図１に示すように、最下部に後述する駆動リング８を所定角度往復回動駆動させるための駆動源であるアクチュエータ１１が配設されている。
このアクチュエータ１１は、図２に示すように、樹脂材料からなる支持部材１２を有し、この支持部材１２は、外周面が円弧状の側壁１２ａが形成されている。  また、支持部材１２は、側壁１２ａの内周側に、側壁１２ａの外周面より小さな円弧状の周壁１３ａを有するコイル収納部１３が、中央部の仕切壁１４を挟んで左右に２つ隣り合って形成されている。
前記コイル収納部１３は、底部に形成した底板１３ｂと周壁１３ａとで、断面がＬ字状になっている。
【００２２】
また、それぞれのコイル収納部１３には、周壁１３ａと底板１３ｂとに所定の幅と深さのヨーク支持溝１３ｃが形成されている。前記側壁１２ａの図示左右端部および仕切壁１４からは、それぞれ上方に突出して鈎状に形成れたスナップ係支部１５がそれぞれ形成されている。前記スナップ係支部１５が、後述するベース部材１８にスナップ係支可能になっている。
前記コイル収納部１３のヨーク支持溝１３ｃには、磁性材料からなり、図２に示すように、外形が略Ｕ字状に形成されたヨーク１６が取り付け可能になっている。前記ヨーク１６は、固定部１６ａとコイル支持部１６ｂとが、互いに所定の間隔を有して平行に形成されている。
【００２３】
また、ヨーク１６は、固定部１６ａが周壁１３ａのヨーク支持溝１３ｃに接着剤等で固着され、コイル支持部１６ｂに、導線を複数回繰り返し巻回して中空状にしたコイル１７の空芯部１７ａが挿入されて接着剤等で固着されている。
前記コイル支持部１６ｂにコイル１７を固着したヨーク１６は、固定部１６ａが、支持部材１２のヨーク支持溝１３ｃに接着剤等で取り付けられて、アクチュエータ１１が組み立てられている。
【００２４】
前記アクチュエータ１１は、外形が略円形状のベース部材１８の裏面側に、それぞれのスナップ係支部１５がスナップ係支されて取り付けられている。
前記ベース部材１８は、樹脂材料等からなり、図１に示すように、外形が略円形状に形成され、その中心部には、所定の開口寸法からなる円形状の開口部１８ａが貫通形成され、この開口部１８ａの周囲には、表面が平坦状でリング状に突出形成された羽根支持面１８ｂが形成されている。
また、ベース部材１８は、外周部に所定の幅寸法と高さ寸法で周壁１８ｃが形成されている。
【００２５】
また、羽根支持面１８ｂと周壁１８ｃとの間には、所定深さで彫り込みされたリング状の溝部１９が形成され、この溝部１９に後述する駆動リング２０が回動自在に位置するようになっている。
また、図１に示す溝部１９の底面には、図示左側に所定の幅寸法と長さ寸法で円弧状に形成された駆動孔１９ａと、図示手前側に駆動孔１９ａより若干細幅に形成されたセンサ孔１９ｂとが貫通形成されている。
また、溝部１９からは、後述する３枚の光調整部材２７を支持可能な３本の第１支持突起１９ｃが１２０°の等間隔の位置に所定高さで突出形成されている。
【００２６】
また、ベース部材１８の図示右側に形成した第１支持突起１９ｃの図示下方近傍には、第２支持突起１９ｄと、この第２支持突起１９ｄの図示下方近傍に第３支持突起１９ｅとがそれぞれ突出形成されている。
また、ベース部材１８には、図示右側に形成した第１支持突起１９ｃの図示上方側には、羽根支持面１８ｂより高さが高いフィルタ支持面１９ｆが形成され、このフィルタ支持面１９ｆにフィルタ支持突起１９ｇが突出形成されている。
【００２７】
また、溝部１９には、溝部１９のリング形状に倣ってリング状に形成された駆動リング２０が回動自在に配設されている。前記駆動リング２０には、１２０°の等間隔の位置に３本の駆動ピン２０ａが所定高さで突出形成されている。
また、駆動リング２０の下面側には、略円弧状で所定の幅寸法の駆動磁石２１ａが接着剤等で固着され、この駆動磁石２１ａの図示左側には、駆動磁石２１ａより幅狭で略円弧状のセンサ磁石２１ｂが接着剤等で固着されている。
前記駆動磁石２１ａは、一方の面である下面に一方の磁極が着磁され、他方の面である上面に他方の磁極が着磁されている。また、センサ磁石２１ｂは、円弧状の一端部側に一方の磁極が着磁され、他端部側に他方の磁極が着磁されている。
【００２８】
このような駆動リング２０は、駆動磁石２１ａをベース部材１８の駆動孔１９ａに、センサ磁石２１ｂをセンサ孔１９ｂにそれぞれ位置合わせして、ベース部材１９の溝部１９に載置されている。
前記駆動磁石２１ａと対向するベース部材１９の下方側には、アクチュエータ１１がスナップ係支可能になっている。そして、ベース部材１８にアクチュエータ１１をスナップ係支すると、駆動磁石２１ａと対向する位置に所定寸法のギャップを有してコイル１７が位置するようになっている。
この状態の一対のコイル１７は、一方のコイル１７に所定の電流を通電することにより発生する磁束が、駆動磁石２１ａを反発させようとする反発力が働き、他方のコイル１７に一方のコイル１７と反対方向の電流を通電することにより発生する磁束が、駆動磁石２１ａを吸着しようとする吸着力が働く。
【００２９】
このことにより、駆動リング２０が一方向に所定の回転角度回転するようになっている。また、それぞれのコイル１７への通電方向を逆にすることにより、駆動リング２０は反対の他方向に回転するようになっている。
また、センサ磁石２１ｂの下方側には、センサ磁石２１ｂと対向してホール素子（図示せず）が配設され、回転する駆動リング２０の回転角度を検出および位置制御が可能になっている。
【００３０】
このような駆動リング２０を位置合わせして溝部１９に載置すると、駆動磁石２１ａがベース部材１８の駆動孔１９ａに位置すると共に、センサ磁石２１ｂがセンサ孔１９ｂに位置して、駆動リング２０が所定の回転角度範囲にを回転可能になる。
前記駆動磁石２１ａと対向するベース部材１９の下方側には、アクチュエータ１１がスナップ係支されている。
そして、駆動磁石２１ａと所定のギャップを有して一方と他方の磁極と対向する位置には、コイル１７がそれそれ位置するように、アクチュエータ１１がベース部材１８にスナップ係支されている。
この状態のコイル１７に、所定の電流を通電することにより発生する磁束が、駆動磁石２１ａに作用して、駆動リング２０が所定角度、右回転あるいは左回転するようになっている。
【００３１】
また、センサ磁石２１ｂの下方側には、センサ磁石２１ｂと対向してホール素子（図示せず）が配設され、回転する駆動リング２０の回転角度を検出可能になっている。
また、駆動リング２０の図示左側上部には、板状で平滑な摺動面２２ａを有する羽根受け板２２が配設されている。前記摺動面２２ａは、ベース部材１８の羽根支持面１８ｂより若干に高くなるように配設され、摺動面２２ａ上を後述する光調整部材２７の一部が摺動可能になっている。
【００３２】
また、ベース部材１８の３本の第１支持突起１８ｃには、それぞれ第１バネ部材２３が挿入されて支持されている。また、第２支持突起１９ｄには、第２バネ部材２４が、第３支持突起１９ｅには、第３バネ部材２５がそれぞれ挿入されて支持されている。
前記第２バネ部材２４を挿入支持した第２支持突起１９ｄには、ロックレバー２６が支持されている。前記ロックレバー２６は、図５に示すように、外側が第３バネ部材２５に弾性付勢されて、反時計回り方向（内向き）に常時付勢されている。
また、ロックレバー２６は、図５に示すように、上方端部にロックピン２６ａが突出形成され、このロックピン２６ａが、ベース部材１８の開口部１８ａから待避した状態の後述するＮＤフィルタ２８の動きをロック可能になっている。
【００３３】
また、３本の第１支持突起１９ｃには、薄板状の絞り羽根からなる３枚の光調整部材２７の一端部側が回動自在に支持されている。
前記それぞれの光調整部材２７は、第１支持突起１９ｃに支持された一端部側の位置から所定寸法内側の位置に、スリット状の長孔２７ａが形成され、この長孔２７ａに駆動リング２０の駆動ピン２０ａが嵌合するようになっている。
また、光調整部材２７の他端部側には、開口部１８ａを遮蔽可能な所定の大きさの羽根部２７ｂが形成されている。
【００３４】
そして、３枚の光調整部材２７は、それぞれの一端部側が第１支持部１９ｃに支持された状態で、それぞれの羽根部２７ｂが互いに重なり合うように配設されている。
前記アクチュエータ１１のコイル１７に通電して、駆動リング２０が右回転あるいは左回転することにより、駆動ピン２０ａが長孔２７ａ内を摺動して光調整部材２７が開口部１８ａが遮蔽あるいは開放されるようになっている。
そして、駆動リング２０を反時計回り方向に回転駆動すると、３枚の光調整部材２７は、羽根部２７ｂが開口部１８ａを開放する方向に回動して、開口部１８ａが開放状態になる。
また、駆動リング２０を時計回り方向に回転駆動すると、３枚の光調整部材２７は、羽根部２７ｂが開口部１８ａを閉じる方向に回動して互いに重なり合って、開口部１８ａが遮蔽状態になる。
【００３５】
また、それぞれの光調整部材２７は、第１支持突起１９ｃに支持された一端部側近傍に、第１バネ部材２３が掛け止めされて、開口部１８ａを遮蔽する方向に常時弾性付勢されている。
そのために、開口部１８ａを遮蔽する方向あるいは開放する方向に回動時の光調整部材２７に、バックラッシュ等の不具合が発生しないようになっている。
【００３６】
また、図示右側の第１支持突起１９ｃに支持された光調整部材２７の上方には、図示を省略した仕切板を介して、フィルタ部材２８が配設されている。
前記フィルタ部材２８は、図１に示すように、薄板状の支持板２８ａを有し、この支持板２８ａの図示右側の一端部寄りの位置に、ベース部材１８のフィルタ支持ピン１９ｇに挿入して支持可能な支持孔２８ｂが形成されている。
また、支持板２８ａの図示右端部である一端部には、ロック部材２６のロックピン２６ａが弾接可能なロック部２８ｃが形成されている。
【００３７】
また、フィルタ部材２８には、支持板２８ａの図示左側の他端部側にＮＤ（ｎｅｕｔｒａｌ  ｄｅｎｓｉｔｙ）フィルタ２９が接着剤等で固着されている。このＮＤフィルタ２９によって開口部１８ａを通過する光の強度（光量）を調整可能になっている。
また、フィルタ２９と支持孔２８ｂとの間には、カム孔２８ｄが形成されている。このようなフィルタ部材２８は、支持孔２８ｂ近傍の外周部が第２バネ部材２４に弾性付勢されて、開口部１８ａを覆う方向に弾性付勢されている。
【００３８】
前記ベース部材１８の周壁１８ｃ内に積層配置された、駆動リング２０および３枚の光調整部材２７、フィルタ部材２８上には、金属板からなるカバー部材３０が配設されている。
前記カバー部材３０には、ベース部材１８の開口部１８ａと対向する中央部に開口部１８ａと略同じ大きさの開口部３０ａが貫通形成されている。
そして、カバー部材３０は、支持部３０ｂがベース部材１８にスナップ係支可能になっている。
【００３９】
このような構成の本発明の絞り兼用シャッタ駆動装置の組立は、まず、アクチュエータ１１を支持した状態のベース部材１８の上方から、駆動リング２０、ロックレバー２６、および３枚の光調整部材２７、フィルタ部材２８等を順番に載置する。その後、ベース部材１８の上方からカバー部材３０をかぶせて、カバー部材３０をベース部材１８にスナップ係支することにより、本発明の絞り兼用シャッタ駆動装置が組み立てられている。
このような本発明の絞り兼用シャッタ駆動装置の組立は、ベース部材１８の上方に、それぞれの部品を順番に積み重ねることにより組み立てることができるので、組立が容易であると共に、自動化も容易である。
【００４０】
このような本発明の絞り兼用シャッタ駆動装置を、例えばデジタルムービーカメラまたはデジタルスチルカメラ等に搭載したもので動作を説明すると撮影者がカメラ（図示せず）側のシャッタボタンを軽く操作する第１の操作で、アクチュエータ１１のコイル１７に通電されて、コイル１７に磁束が発生する。
そして、開口部１８ａを絞り込みたい場合は、コイル１７に発生する磁束が駆動磁石２１ａに作用して、駆動リング２０が時計回り方向に回転し、３枚の光調整部材２７が開口部１８ａを遮蔽する方向に回動する。
【００４１】
前記駆動リング２０が回転すると、センサ磁石２１ｂと対向する側のホール素子（図示せず）から出力される出力電圧が変化する。この出力電圧の変化をカメラ側の制御部（図示せず）が検出するようになっている。
そして、制御部で検出するホール素子の出力電圧が、所望の絞り口径と対応する値になると、コイル１７への通電が停止されて、駆動リング２０の回転がストップする。
前記コイル１７への通電が停止されると、駆動リング２０に取り付けた駆動磁石２１ａは、自身の磁力で磁性材料であるヨーク１６に対して吸引力が働く。
この吸引力によって、コイル１７への通電が停止されて回転がストップした駆動リング２０の動きを規制することができる。
この時の開口部１８ａは、絞り量が撮影に最適となっているので、撮像素子（ＣＣＤ）に動画等をコマ撮り撮影することができる。
【００４２】
また、カメラ側のシャッターボタンを強く押し込む第２のシャッタ動作で、３枚の光調整部材２７が瞬時に開口部１８ａを遮蔽して、シャッター動作が行われるようになっている。
前述したような本発明の絞り兼用シャッター駆動装置は、光調整部材２７、あるいはフィルタ部材２８を操作しないときは、アクチュエータ１１のコイル１７への通電を停止しているので、低消費電力とすることができる。
尚、本発明の実施の形態では、コイル１７を２個配設したもので説明したが、１個でも良い。また、コイル１７をヨーク１６に支持したもので説明したが、ヨーク１６はなくても良い。
【図面の簡単な説明】
【００４３】
【図１】本発明に関する絞り兼用シャッタ駆動装置の分解斜視図である。
【図２】本発明に係わるアクチュエータの分解斜視図である。
【図３】本発明に係わるアクチュエータの斜視図である。
【図４】本発明に係わるアクチュエータと駆動リングとの関係を説明する斜視図である。
【図５】本発明に関する絞り兼用シャッタ駆動装置の動作を説明する要部拡大図ある。
【図６】従来の絞り兼用シャッタ駆動装置の分解斜視図である。
【図７】従来の絞り兼用シャッタ駆動装置の要部断面図である。
【符号の説明】
【００４４】
１１  アクチュエータ
１２  支持部材
１３  コイル収納部
１３ａ  周壁
１３ｂ  底板
１４  仕切壁
１５  スナップ係支部
１６  ヨーク
１７  コイル
１８  ベース部材
１９  溝部
２０  駆動リング
２１ａ  駆動磁石
２１ｂ  センサ磁石
２２  羽根受け板
２３  第１バネ部材
２４  第２バネ部材
２５  第３バネ部材
２６  ロックレバー
２７  光調整部材
２８  フィルタ部材
２９  ＮＤフィルタ
３０  カバー部材
【図１】
2005156757.tif 000003
【図２】
2005156757.tif 000004
【図３】
2005156757.tif 000005
【図４】
2005156757.tif 000006
【図５】
2005156757.tif 000007
【図６】
2005156757.tif 000008
【図７】
2005156757.tif 000009